(57)【要約】【課題】内筒金具の延出部外周面にゴム被覆層を介して挿嵌固定される環状のストッパ部材の挿入が容易でかつストッパ部材の脱落を確実に防止できる防振ブッシュを提供する。【解決手段】  防振ブッシュ１０は、外筒金具１１と、その径方向内方に離間して配置されて軸方向の一端側が外筒金具１１の端部から軸方向に延びた延出部１４になっている内筒金具１３と、外内筒金具間を連結する本体ゴム弾性体１６と、延出部１４の外周面を被覆するゴム被覆層１７と、ゴム被覆層１７を介して延出部１４の外周に挿嵌固定される円環状のストッパ部材２１とを備える。ゴム被覆層１７の軸方向端部側に、周方向の４個所にて周方向に延びると共に径方向に突出した係合凸部１８が設けられている。ストッパ部材２１は、中心穴２２内周面の係合凸部１８との対応位置に係合凸部１８の山部１８ａに挟まれた谷部１８ｂに圧着状態で嵌合される嵌合凸部２３を設けている。【選択図】    図１
2007263347.tif 000002
【特許請求の範囲】
【請求項１】
外筒金具と、該外筒金具の径方向内方に離間して配置されて軸方向の一端側が該外筒金具の端部から軸方向外方に延びた延出部になっている内筒金具と、該内筒及び外筒金具間を連結する本体ゴム弾性体と、前記延出部の外周面を被覆するゴム被覆層と、該ゴム被覆層を介して該延出部の外周面に挿嵌固定された環状のストッパ部材とを備えた防振ブッシュにおいて、
前記ゴム被覆層の前記ストッパ部材との嵌合位置にて、所定長さで周方向に延びて径方向外方に突出した複数の係合凸部が周方向に離間して配設され、該係合凸部の軸方向両端に山部と該山部に挟まれてその間に径方向内方に凹んだ谷部を設ける一方、
前記ストッパ部材には中央部に中心穴を設けて、該中心穴内周面で前記係合凸部との対応位置にて径方向内方に突出した嵌合凸部を設けており、周方向で該嵌合凸部に挟まれた部分に前記係合凸部を嵌め合わせ、該ストッパ部材を周方向に回動させて該嵌合凸部にて前記係合凸部の前記谷部に圧着状態で挿嵌固定されることを特徴とする防振ブッシュ。
【請求項２】
前記ゴム被覆層における外径が、前記ストッパ部材の嵌合凸部における内径より大きいことを特徴とする前記請求項１に記載の防振ブッシュ。
【請求項３】
前記係合凸部と前記嵌合凸部が周方向に等間隔で配置されたことを特徴とする前記請求項１又は２に記載の防振ブッシュ。
【発明の詳細な説明】
【技術分野】
【０００１】
本発明は、内外筒金具間が本体ゴム弾性体で連結され、内筒金具の端部が外筒金具の端部から軸方向に延びた延出部となっており、ゴム被覆層で覆われた延出部の外周面に変位規制用の環状のストッパ部材が挿嵌固定されてなる、車両のフロントロアアームブッシュやボディマウント等に使用される防振ブッシュに関する。
【背景技術】
【０００２】
この種の防振ブッシュは、例えば外筒金具が車両用フロントロアアーム等に圧入された後、内筒金具の外筒金具端部からの延出部にストッパ部材が嵌着された状態で、車両組み立て工場等の別の場所へ運送されて車両に組み付けられることが多い。そのため、このストッパ部材は、運送の途中で防振ブッシュから脱落しないように確実に取り付けられている必要がある。従来、この種の防振ブッシュとしては、例えば特許文献１に示すように、外筒金具より長い内筒金具の両端近傍までゴム弾性体を設け、ゴム弾性体のサイドストッパ（ストッパ部材）が嵌め込まれる箇所又はその近傍に環状の凸部を設け、凸部によって嵌合されたストッパ部材を抜け止めするようにした筒形防振ゴムが知られている。しかし、この防振ゴムでは、ストッパ部材をゴム弾性体に圧入する際に、ストッパ部材が環状の凸部を全周にわたって乗り越えることが必要であり、そのため圧入の際の負荷が大きくなり圧入作業の作業性が損なわれるという問題がある。特に、ストッパ部材がゴム単体の場合は変形しやすいため、ストッパ部材の挿入がさらに困難になる。
【０００３】
また、同公報には、凸部をゴム弾性体の周方向の一箇所に形成し、この凸部に見合う形にストッパ部材の中心穴を形成し、ストッパ部材の中心穴の凸部に相当する凹み箇所を凸部に合わせて嵌め込み、凸部がストッパ部材の外側にきたときにストッパ部材を回転させることにより、ストッパ部材を凸部に係合させて、その脱落防止を図った防振ゴムについても記載されている。しかし、この場合は、凸部が周方向の一箇所のみであり、凸部とストッパ部材との係合が周方向の一箇所のみになるため、両者間の係合の程度が弱くなり、ストッパ部材が脱落しやすくなる。また、上記環状の凸部、周方向一箇所の凸部共に、ストッパ部材との係合を十分に確保してストッパ部材の脱落を抑えるためには、凸部の径方向の高さをある程度高くする必要があるが、そのためにゴム成形後の成形型の軸方向の型抜きの際に、凸部が成形型に引っかかることにより、凸部が損傷を受けやすくなるという問題もある。
【特許文献１】特開平５−１１８３６７号公報
【０００４】
その他に、ゴム被覆層を介して内筒金具の延出部への環状のストッパ部材の挿入を容易にすると共にストッパ部材の脱落を確実に防止するためには、ストッパ部材を接着剤で延出部に固定する方法がある。しかし、接着剤を用いた場合には、接着剤が内筒金具端部に付着しやすくなる。そのために、内筒金具を相手部材にボルトを締めこんで固定するときに、接着剤が介在することによりボルトの締め付けが緩みやすいという問題がある。また、接着剤を用いることにより、防振ブッシュのコストも高くなる。
【発明の開示】
【発明が解決しようとする課題】
【０００５】
本発明は、このような問題を解決しようとするものであり、内筒金具の延出部外周面にゴム被覆層を介して挿嵌固定される環状のストッパ部材の挿入が容易でかつストッパ部材の脱落を確実に防止できる防振ブッシュを提供することを目的とする。
【課題を解決するための手段】
【０００６】
上記目的を達成するために、本発明の構成上の特徴は、外筒金具と、外筒金具の径方向内方に離間して配置されて軸方向の一端側が外筒金具の端部から軸方向外方に延びた延出部になっている内筒金具と、内筒及び外筒金具間を連結する本体ゴム弾性体と、延出部の外周面を被覆するゴム被覆層と、ゴム被覆層を介して延出部の外周面に挿嵌固定された環状のストッパ部材とを備えた防振ブッシュにおいて、ゴム被覆層のストッパ部材との嵌合位置にて、所定長さで周方向に延びて径方向外方に突出した複数の係合凸部が周方向に離間して配設され、係合凸部の軸方向両端に山部と山部に挟まれてその間に径方向内方に凹んだ谷部を設ける一方、ストッパ部材には中央部に中心穴を設けて、中心穴内周面で係合凸部との対応位置にて径方向内方に突出した嵌合凸部を設けており、周方向で嵌合凸部に挟まれた部分に係合凸部を嵌め合わせ、ストッパ部材を周方向に回動させて嵌合凸部にて係合凸部の谷部に圧着状態で挿嵌固定されることにある。
【０００７】
上記のように構成した本発明においては、ストッパ部材中央部の中心穴の内周面に設けた複数の嵌合凸部を、ゴム被覆層に設けた複数の係合凸部にそれぞれ挟まれた周方向の部分に合わせた状態で、ストッパ部材をゴム被覆層外周面に圧入により軸方向の係合凸部位置まで挿入する。その際、ストッパ部材の嵌合凸部が係合凸部に引っかからないので、ストッパ部材のゴム被覆層を介した延出部への挿入が容易に行われ、挿入の作業性が良好にされる。さらに、係合凸部位置でストッパ部材を回動させることにより、複数の嵌合凸部がゴム被覆層から突出した係合凸部に簡単に嵌合され、嵌合凸部が係合凸部の軸方向両側の山部に挟まれて谷部に圧着状態で確実に固定される。そのため、本発明においては、内筒金具の延出部からストッパ部材の脱落が確実に防止される。
【０００８】
また、本発明において、ゴム被覆層における外径を、ストッパ部材の嵌合凸部における内径より大きくすることにより、ストッパ部材の嵌合凸部がゴム被覆層への圧入によりわずかに引っ掛かりを生じるが、嵌合凸部が係合凸部には引っかからないので、全体としてストッパ部材の挿入が容易に行われる。さらに、ストッパ部材の嵌合凸部がゴム被覆層に設けた係合凸部の一対の山部間に嵌め合わされたとき、嵌合凸部の係合凸部への圧着状態が強められて山部に挟まれて谷部に強固に固定されるため、ストッパ部材の内筒金具外周面からの脱落がさらに確実に防止される。
【０００９】
また、本発明において、係合凸部と嵌合凸部が周方向に等間隔で配置されることが好ましい。これにより、ストッパ部材の嵌合凸部をゴム被覆層の係合凸部の間に簡単に位置合わせして挿入することができるので、ストッパ部材のゴム被覆層を介した延出部への取り付けが一層容易に行われる。さらに、係合凸部を周方向に等間隔で複数配置することで、ゴム被覆層と係合凸部の径方向外方との距離を大きく設定しなくても、充分にストッパ部材に設けられた嵌合凸部との圧着状態が強められるため、係合凸部の軸方向両端部に設けられる山部が成形型から脱型する際に生じる損傷を低減することができる。
【発明の効果】
【００１０】
本発明によれば、ストッパ部材をゴム被覆層を介して内筒金具の延出部に簡単に挿入することができるので、ストッパ部材の挿入の作業性が良好にされる。また、本発明においては、ストッパ部材の内周部の複数の係合凸部を、ゴム被覆層に設けた複数の係合凸部に圧着状態で強固に挿嵌固定させることができるので、ストッパ部材の内筒金具の延出部から脱落を確実に防止でき、ストッパ部材の取り付けられた防振ブッシュを確実に他の場所へ運送することができる。
【発明を実施するための最良の形態】
【００１１】
以下、本発明の一実施例を図面を用いて説明する。図１及び図２は、実施例である車両のフロントロアアームと車体側部材間に組み付けられる防振ブッシュ１０を断面図及び右側面図により示したものであり、図３は防振ブッシュの右側部分を拡大した断面図により示したものである。図４，図５は、防振ブッシュに取り付けられるストッパ部材を正面図及び断面図により示したものである。
【００１２】
防振ブッシュ１０は、軸方向左端側（図１の左端側）に径方向外方に延びた外フランジ部１２を設けた薄肉のパイプである外筒金具１１と、その径方向内方に離間して同軸状に配置された軸方向両端が外筒金具１１の軸方向両端から軸方向外方に延出した厚肉パイプである内筒金具１３と、内外筒金具１３，１１間を弾性的に連結する本体ゴム弾性体１６と、内筒金具１３の右側（図１の右側）の延出部１４の外周面に被覆されたゴム被覆層１７と、延出部１４の外周面にゴム被覆層１７を介して挿嵌固定されたストッパ部材２１とを設けている。
【００１３】
ゴム被覆層１７は、薄肉の平坦なゴム層であり、本体ゴム弾性体１６から一体で延びて内筒金具１３の延出部１４の右端を除く外周面に設けられている。ゴム被覆層１７は、右端近傍位置でかつ周方向の９０°離れた等間隔の４個所にて径方向に突出した４つの係合凸部１８を有している。各係合凸部１８、周方向に中心角４５°の範囲で延びて、互いに周方向に離間して配置されている。これにより、各係合凸部１８の周方向間の円弧状の平坦部１９が、中心角４５°の係合凸部１８と同一の長さで周方向に等間隔に配置されている。係合凸部１８は、図３に示すように、軸方向にわずかに離れた２箇所において平坦なゴム被覆層１７表面から径方向に軸断面形状が曲線状に突出した一対の山部１８ａと、両山部１８ａの間で凹んだ谷部１８ｂとからなるものである。谷部１８ｂはゴム被覆層１７の平坦面とほぼ同じ高さである。ゴム被覆層１７は、本体ゴム弾性体１６と共に、外筒金具１１と内筒金具１３を成形金型にセットしてゴム加硫成形により一体で形成される。
【００１４】
なお、谷部１８ｂすなわちゴム被覆層１７の平坦部分での外径をφＡとし、山部１８ａでの外径をφＢとしたとき、（φＢ−φＡ）／２すなわち山部１８ａと谷部１８ｂの高さの差は、０．５〜１．５ｍｍの範囲であることが好ましい。差が０．５ｍｍより小さくなると、係合凸部１８によるストッパ部材２１を挟持する力が弱くなり、ストッパ部材２１が内筒金具１３から脱落しやすくなる。また、差が１．５ｍｍより大きくなると、係合凸部１８の成形の際の型外しが困難になると共に、係合凸部１８が損傷を受けやすくなる。
【００１５】
ストッパ部材２１は、図４，図５に示すように、厚肉のゴム弾性体製で中央部に大径の中心穴２２を有する円環板形状であり、外径が外筒金具１１の外径より大きく、中心穴２２の内径はゴム被覆層１７の外周面の外径とほぼ同一になっている。中心穴２２には、その軸方向中間位置にて周方向の９０°離れた等間隔の４個所にて、周方向に中心角４５°の範囲で延びると共に径方向に突出した軸断面形状が曲線状の山形である４つの嵌合凸部２３を有している。これにより、各嵌合凸部２３の周方向間の円弧状の平坦部２４も中心角４５°の嵌合凸部２３と同一の長さで周方向に等間隔に配置される。また、４つの嵌合凸部２３は、ゴム被覆層１７から突出した４つの係合凸部１８に対応するようになっており、軸方向の幅が係合凸部１８の両山部１８ａの頂部間の距離にほぼ等しい。なお、中心穴２２の嵌合凸部２３位置での内径をφＣとしたとき、上記谷部１８ｂでの外径φＡに対して、φＡ＞φＣの関係になっている。
【００１６】
つぎに、ストッパ部材２１の内筒金具１３の延出部１４への取り付けについて説明する。図６に模式的に示すように、ストッパ部材２１の中心穴２２に設けた４つ嵌合凸部２３を、ゴム被覆層１７に設けた４つ係合凸部１８間の周方向の平坦部１９に合わせた状態で、ストッパ部材２１をゴム被覆層１７外周面に圧入により軸方向の係合凸部１８位置まで挿入する。ここで、嵌合凸部２３での内径φＣは平坦部１９での外径φＡより小さいので、嵌合凸部２３が平坦部１９に引っかかってわずかに圧縮された状態で挿入されるが、図７に軸断面形状で示すように、嵌合凸部２３のみが平坦部１９内に食い込みその他の部分が平坦部１９から離れたほぼ線接触状態になっている。そのため、ストッパ部材２１の挿入抵抗は小さく、挿入作業も困難なく行われる。その結果、本実施例においては、ストッパ部材２１のゴム被覆層１７を介した延出部１４への挿入が容易に行われ、挿入の作業性が良好に確保される。
【００１７】
そして、係合凸部１８位置でストッパ部材２１を回動させることにより、図８に模式的に示すように、４つの嵌合凸部２３がゴム被覆層１７から突出した係合凸部１８に簡単に嵌合される。図９に軸断面形状で示すように、嵌合凸部２３が、係合凸部１８の軸方向両側の一対の山部１８ａに挟まれて軸方向中間位置の谷部１８ｂに圧着状態で強固に係止される。その結果、本実施例においては、ストッパ部材２１の内筒金具１３の延出部１４から脱落が確実に防止されるため、ストッパ部材２１の取り付けられた防振ブッシュ１０を確実に他の場所へ運送することができる。
【００１８】
また、本実施例においては、係合凸部１８と嵌合凸部２３が周方向に等間隔で同一形状で配置されているため、ストッパ部材２１の嵌合凸部２３をゴム被覆層１７の係合凸部１８の間の平坦部１９に簡単に位置合わせして挿入することができ、ストッパ部材２１のゴム被覆層１７を介した延出部１４への取り付けが容易に行われる。さらに、係合凸部１８を周方向に等間隔で４つ配置することで、ゴム被覆層１７と係合凸部１８の径方向外方との距離を大きく設定しなくても、充分にストッパ部材２１に設けられた嵌合凸部２３との圧着状態が強められる。そのため、本実施例においては、係合凸部１８の軸方向両端部に設けられる山部１８ａが成形型から脱型する際に生じる損傷を低減することができる。
【００１９】
なお、上記実施例においては、ゴム被覆層１７の係合凸部１８とストッパ部材２１の嵌合凸部２３がそれぞれ周方向に４つずつ設けられているが、これに限らず、２つ以上の複数個であってもよい。また、上記実施例においては、ゴム被覆層１７の係合凸部１８とストッパ部材２１の嵌合凸部２３がそれぞれ同一形状で周方向に等間隔で設けられているが、これに限らず、形状や間隔が異なったものであってもよい。さらに、上記実施例においては、内筒金具１３の一方に延出部１４を設けてそれに１つのストッパ部材２１を取り付けた防振ブッシュについて説明しているが、これに限らず、内筒金具の両側に延出部を設けて、それぞれにストッパ部材を取り付けた防振ブッシュに対して本発明を適用することも可能である。
【００２０】
また、上記実施例は、フロントロアアーム用防振ブッシュについて説明しているが、その他の、ボディマウントやサブフレームマウント等に対しても、本発明を同様に適用することができる。その他、上記実施例に示した防振ブッシュの各部分の構造については一例であり、本発明の主旨を逸脱しない範囲において、種々変更して実施することができる。
【産業上の利用可能性】
【００２１】
本発明は、ストッパ部材をゴム被覆層外周面に圧入により簡単に挿入することができ、係合凸部位置でストッパ部材を回動させて、嵌合凸部を両側の山部に挟まれて軸方向中間位置の谷部に圧着状態で強固に係止させることにより、ストッパ部材の内筒金具からの脱落を確実に防止でき、ストッパ部材の取り付けられた防振ブッシュを確実に他の場所へ運送することができるので、有用である。
【図面の簡単な説明】
【００２２】
【図１】本発明の一実施例である防振ブッシュを示す図２のＩ−Ｉ線方向の断面図である。
【図２】防振ブッシュを示す右側面図である。
【図３】防振ブッシュの内筒金具の延出部近傍を拡大して示す拡大断面図である。
【図４】防振ブッシュのストッパ部材を示す正面図である。
【図５】同ストッパ部材を示す図４のＶ−Ｖ線方向の断面図である。
【図６】同ストッパ部材を延出部へ挿入する際のゴム被覆層との関係を概略的に示す模式図である。
【図７】同ストッパ部材とゴム被覆層との関係を概略的に示す図６の矢印ＶＩＩで示す位置での軸断面形状を拡大して示す拡大断面図である。
【図８】同ストッパ部の嵌合凸部とゴム被覆層に設けた係合凸部との嵌合関係を概略的に示す模式図である。
【図９】同ストッパ部材とゴム被覆層との嵌合関係を概略的に示す図８の矢印ＩＸで示す位置での軸断面形状を拡大して示す拡大断面図である。
【符号の説明】
【００２３】
１０…防振ブッシュ、１１…外筒金具、１３…内筒金具、１４…延出部、１６…本体ゴム弾性体、１７…ゴム被覆層、１８…係合凸部、１８ａ…山部、１８ｂ…谷部、２１…ストッパ部材、２２…中心穴、２３…嵌合凸部。
【図１】
2007263347.tif 000003
【図２】
2007263347.tif 000004
【図３】
2007263347.tif 000005
【図４】
2007263347.tif 000006
【図５】
2007263347.tif 000007
【図６】
2007263347.tif 000008
【図７】
2007263347.tif 000009
【図８】
2007263347.tif 000010
【図９】
2007263347.tif 000011